(57)【要約】  【課題】  受信したデータの機密性を保護しつつデータの取り出しを可能にするデータ処理装置及び画像処理装置を提供する。  【解決手段】  プリンタ装置又はファクシミリ装置等の画像処理装置（データ処理装置）１は、外部から受信した画像データ（データ）を暗号化した上で記憶部１９に記憶しておき、画像データを記憶可能な記録媒体Ｍの装着部１８への装着を受け付け、記録媒体Ｍと画像データとの対応を照合し、照合結果が所定の結果であった場合に画像データを記録媒体Ｍに記憶させる。また、画像データを記録媒体Ｍに記憶させる際には、暗号化された画像データを復号して記憶させることが可能である。【選択図】        図１
2005217545.tif 000002
【特許請求の範囲】
【請求項１】
データを受信する受信手段と、該受信手段が受信したデータを処理する処理手段とを備えるデータ処理装置において、
前記受信手段が受信したデータを暗号化する暗号化手段と、
該暗号化手段が暗号化した暗号化データを記憶する記憶手段と、
記録媒体の装着手段と、
該装着手段に装着された記録媒体と前記記憶手段が記憶している前記暗号化データとの対応を照合する照合手段と、
該照合手段による前記記録媒体と前記暗号化データとの照合結果が所定の結果である場合に、前記記録媒体へ前記暗号化データを書き込むデータ書き込み手段と
を備えることを特徴とするデータ処理装置。
【請求項２】
前記記録媒体は、前記暗号化手段によって暗号化された暗号化データを復号するために必要な復号鍵を記憶しており、
前記照合手段による前記記録媒体と前記暗号化データとの照合結果が所定の結果である場合に、前記記憶手段が記憶している前記復号鍵を用いて前記暗号化データを復号する復号手段を更に備え、
前記データ書き込み手段は、前記復号手段が復号したデータを前記記録媒体へ書き込むべくなしてある
ことを特徴とする請求項１に記載のデータ処理装置。
【請求項３】
前記暗号化データ又は前記復号手段が復号したデータのいずれを前記データ書き込み手段が前記記録媒体へ書き込むべきかを選択する手段を更に備えることを特徴とする請求項２に記載のデータ処理装置。
【請求項４】
前記復号手段が復号したデータのデータ形式を変換する変換手段を更に備え、
前記データ書き込み手段は、前記変換手段がデータ形式を変換した前記データを前記記録媒体へ書き込むべくなしてある
ことを特徴とする請求項２又は３に記載のデータ処理装置。
【請求項５】
画像データを受信する受信手段と、該受信手段が受信した画像データを処理する処理手段とを備える画像処理装置において、
前記受信手段が受信した画像データを暗号化する暗号化手段と、
該暗号化手段が暗号化した暗号化画像データを記憶する記憶手段と、
記録媒体の装着手段と、
該装着手段に装着された記録媒体と前記記憶手段が記憶している前記暗号化画像データとの対応を照合する照合手段と、
該照合手段による前記記録媒体と前記暗号化画像データとの照合結果が所定の結果である場合に、前記記録媒体へ前記暗号化画像データを書き込むデータ書き込み手段と
を備えることを特徴とする画像処理装置。
【発明の詳細な説明】
【技術分野】
【０００１】
本発明は、データを受信して処理するデータ処理装置、及び画像データを受信して処理する画像処理装置に関し、より具体的には、受信したデータ及び画像データを外部の記録媒体に記録させるデータ処理装置及び画像処理装置に関する。
【背景技術】
【０００２】
通信ネットワークに接続されたプリンタ装置又はファクシミリ装置などの画像処理装置に対して画像データを送信し、画像データに基づいた画像を画像処理装置に記録させることが広く行われている。画像処理装置は、画像を記録して排出した記録物を収納する排紙トレイを備えており、画像処理装置が排出した記録物は、使用者が回収するまで排紙トレイに放置された状態となっている。このとき、不特定多数の者による画像の記録物の盗み見又は持ち去りなどの画像の記録物の不正使用が発生する可能性がある。このため、企業秘密を記載した文書などの機密情報を有する画像データを処理する場合には、画像の記録物の不正使用によって機密情報が漏洩する危険がある。
【０００３】
そこで、画像データを受信した場合に画像の記録を行わずに画像データを記憶しておき、使用者の直接操作により画像の記録指示を受け付けるまでこの状態で待機するようにした画像処理装置が開発されている。特許文献１及び特許文献２には、画像処理装置は、パスワード付きの画像データを受信した場合に受信した画像データを記憶して待機し、使用者から正当なパスワードを受け付けた場合に画像を記録する技術が開示されている。
【特許文献１】特開平１−２９３７６２号公報
【特許文献２】特開昭６０−２５３８５号公報
【特許文献３】特開平１−１９００７３号公報
【発明の開示】
【発明が解決しようとする課題】
【０００４】
前述の如き画像の記録指示を受け付けるまでは画像の記録を行わないようにした画像処理装置は、画像データを内部に記憶する必要があるので、その間に記憶装置の外部への取り出し又は外部からの画像処理装置へのアクセス等によって画像データが外部へ取り出され、画像データが含む機密情報が漏洩する可能性がある。また、画像処理装置が受信した画像データを、画像として記録するのみならず、コンピュータでの編集又は記憶を行うために電子データとして画像処理装置の外部へ取り出したいというニーズがある。しかし、画像処理装置が受信した画像データを外部へ取り出せるようにした場合には、画像データの機密性を保護することが困難であるという問題がある。
【０００５】
本発明は、斯かる事情に鑑みてなされたものであって、その目的とするところは、外部から受信したデータを暗号化した上で記憶しておき、データと記録媒体との対応の照合を行い、照合結果が所定の結果であった記録媒体に対してのみ当該データを書き込むことにより、データの機密性を保護しつつデータの取り出しを可能にするデータ処理装置及び画像処理装置を提供することにある。
【課題を解決するための手段】
【０００６】
本発明に係るデータ処理装置は、データを受信する受信手段と、該受信手段が受信したデータを処理する処理手段とを備えるデータ処理装置において、前記受信手段が受信したデータを暗号化する暗号化手段と、該暗号化手段が暗号化した暗号化データを記憶する記憶手段と、記録媒体の装着手段と、該装着手段に装着された記録媒体と前記記憶手段が記憶している前記暗号化データとの対応を照合する照合手段と、該照合手段による前記記録媒体と前記暗号化データとの照合結果が所定の結果である場合に、前記記録媒体へ前記暗号化データを書き込むデータ書き込み手段とを備えることを特徴とする。
【０００７】
本発明に係るデータ処理装置は、前記記録媒体は、前記暗号化手段によって暗号化された暗号化データを復号するために必要な復号鍵を記憶しており、前記照合手段による前記記録媒体と前記暗号化データとの照合結果が所定の結果である場合に、前記記憶手段が記憶している前記復号鍵を用いて前記暗号化データを復号する復号手段を更に備え、前記データ書き込み手段は、前記復号手段が復号したデータを前記記録媒体へ書き込むべくなしてあることを特徴とする。
【０００８】
本発明に係るデータ処理装置は、前記暗号化データ又は前記復号手段が復号したデータのいずれを前記データ書き込み手段が前記記録媒体へ書き込むべきかを選択する手段を更に備えることを特徴とする。
【０００９】
本発明に係るデータ処理装置は、前記復号手段が復号したデータのデータ形式を変換する変換手段を更に備え、前記データ書き込み手段は、前記変換手段がデータ形式を変換した前記データを前記記録媒体へ書き込むべくなしてあることを特徴とする。
【００１０】
本発明に係る画像処理装置は、画像データを受信する受信手段と、該受信手段が受信した画像データを処理する処理手段とを備える画像処理装置において、前記受信手段が受信した画像データを暗号化する暗号化手段と、該暗号化手段が暗号化した暗号化画像データを記憶する記憶手段と、記録媒体の装着手段と、該装着手段に装着された記録媒体と前記記憶手段が記憶している前記暗号化画像データとの対応を照合する照合手段と、該照合手段による前記記録媒体と前記暗号化画像データとの照合結果が所定の結果である場合に、前記記録媒体へ前記暗号化画像データを書き込むデータ書き込み手段とを備えることを特徴とする。
【００１１】
本発明においては、データ処理装置（画像処理装置）は、外部から受信したデータ（画像データ）を暗号化した上で記憶しておき、データ（画像データ）を記憶可能な記録媒体の装着を受け付け、記録媒体とデータ（画像データ）との対応を照合し、互いのＩＤが一致する等照合結果が所定の結果である場合にのみデータ（画像データ）を記録媒体に記憶させる。
【００１２】
また、本発明においては、記録媒体はデータを復号するための復号鍵を記憶しており、データ処理装置はデータを記録媒体に記憶させる際に暗号化データを復号して記憶させる。
【００１３】
また、本発明においては、記録媒体にデータを記憶させる際に暗号化した状態で記憶させるか又は復号して記憶させるかを選択することができる。
【００１４】
更に、本発明においては、記録媒体にデータを記憶させる際にデータのフォーマット形式の変換又はデータサイズの変換等のデータ形式の変換を行うことができる。
【発明の効果】
【００１５】
本発明にあっては、データ処理装置（画像処理装置）は、データ（画像データ）を暗号化した上で記憶しているので、不正な手段によってデータ（画像データ）がデータ処理装置（画像処理装置）の外部へ取り出された場合でも、データ（画像データ）の機密性を保護することができる。また、データ（画像データ）との照合結果が所定の結果であった記録媒体にデータ（画像データ）を記録させることにより、正当な記録媒体を有する使用者のみがデータ（画像データ）を外部へ取り出すことができるので、データ（画像データ）の機密性を保護しながらデータ処理装置（画像処理装置）が受信したデータ（画像データ）を電子データとして利用することが可能となる。
【００１６】
また、本発明にあっては、データ処理装置が記録している暗号化データを復号したデータを記録媒体に記憶させることにより、データ処理装置から取り出したデータを利用する際に復号する必要がなくなるので、データ処理装置から取り出したデータの利用が容易となる。
【００１７】
また、本発明にあっては、記録媒体にデータを記憶させる際に暗号化した状態で記憶させるか又は復号して記憶させるかを選択することができるので、機密性の高いデータは暗号化した状態で取り出す等、機密性の保護と利便性とを状況に応じて調整することが可能となる。
【００１８】
更に、本発明にあっては、記録媒体にデータを記憶させる際にデータのフォーマット形式の変換又はデータサイズの変換等のデータ形式の変換を行うことができるので、データの利用目的に応じてデータを変換することにより、データ処理装置から取り出したデータの利便性が向上する等、本発明は優れた効果を奏する。
【発明を実施するための最良の形態】
【００１９】
以下本発明をその実施の形態を示す図面に基づき具体的に説明する。
図１は、本発明のデータ処理装置である画像処理装置の内部の機能構成を示す機能ブロック図である。画像処理装置１は、演算を行うＣＰＵ及び演算に伴う一時的な情報を記憶するＲＡＭ等からなる制御部１１を備えている。制御部１１には、画像処理装置１を制御するための制御プログラムを記憶しているＲＯＭ１５１が接続されており、制御部１１は、ＲＯＭ１５１が記憶している制御プログラムに従って、画像処理装置１全体を制御する。また、制御部１１には、画像処理装置１が行う処理を管理するための管理情報を記憶するメモリである管理部１５２が接続されている。制御部１１は、管理部１５２が記憶している管理情報を参照し、参照した情報に基づいて画像処理装置１の制御を行う。
【００２０】
また、制御部１１には、記録用紙に記録された画像を走査して読み取り、読み取った画像に基づいた電子的な画像データを生成する画像読み取り部１２が接続されている。また、制御部１１には、ファクシミリ通信を行うモデム部１４１が接続されており、モデム部１４１は公衆回線網Ｎ２に接続されている。画像処理装置１は、画像読み取り部１２が生成した画像データを、モデム部１４１に接続された公衆回線網Ｎ２を介して他のファクシミリ装置３へファクシミリ通信にて送信することができる。また、制御部１１には、画像データを一時的に記憶する画像メモリ１６１を内部に備え、画像データから画像を形成し、形成した画像を記録用紙に記録して出力する画像形成部１６が接続されている。画像処理装置１は、ファクシミリ装置３からファクシミリ通信で送信された画像データを、公衆回線網Ｎ２を介してモデム部１４１にて受信し、受信された画像データを画像メモリ１６１に記憶し、記憶された画像データから画像形成部１６にて画像を形成して記録用紙に記録する。このようにして、画像処理装置１は、ファクシミリ装置として機能する。
【００２１】
また、制御部１１には、社内ＬＡＮ等の通信ネットワークＮ１に接続された通信部１４２が接続されている。通信ネットワークＮ１には、パーソナルコンピュータ（ＰＣ）２１，２１，…が接続されている。通信部１４２は、ＰＣ２１から通信ネットワークＮ１を介して画像データを受信し、画像形成部１６は、受信された画像データから画像を形成して記録することができる。
【００２２】
通信ネットワークＮ１は、更に、インターネット等の広域通信ネットワークＮ３に接続されている。広域通信ネットワークＮ３には、外部の団体又は個人などに管理された情報処理装置４１，４１，…又はファクシミリ装置４２，４２，…が接続されている。通信部１４２は、電子メールに画像データを添付して送信するなどの方法により情報処理装置４１又はファクシミリ装置４２から送信された画像データを、通信ネットワークＮ１及び広域通信ネットワークＮ３を介して受信することができる。通信部１４２が受信した画像データから、画像形成部１６が画像を形成することができる。また、通信部１４２は、広域通信ネットワークＮ３に接続された情報処理装置４１又はファクシミリ装置４２へ画像データを送信することができる。このようにして、本発明のデータ処理装置１は、インターネットファクシミリ装置としての機能を有する。
【００２３】
また、制御部１１には、ハードディスク又は光ディスク等の不揮発性メモリからなる記憶部（記憶手段）１９が接続されている。記憶部１９は、データ処理装置１が処理する画像データを記憶する。また、制御部１１には、使用者からの操作を受け付ける操作部１３が接続されており、操作部１３は、操作のために必要な情報を表示する液晶パネル等の表示手段と、使用者の操作により制御命令などの情報が入力されるタッチパネル又はテンキー等の入力手段とからなっている。
【００２４】
また、制御部１１には、受信したデータを暗号化して暗号化データを生成する暗号化部（暗号化手段）１７１、及び暗号化データを復号する処理を行う復号部（復号手段）１７２が接続されている。画像処理装置１は、通信部１４２が受信した画像データを暗号化部１７１で暗号化し、暗号化画像データを記憶部１９で記憶し、記憶部１９で記憶している暗号化画像データを復号部１７２で復号することができる。
【００２５】
更に、制御部１１には、半導体メモリカード又は光磁気ディスク等の可搬型の記録媒体Ｍを装着させることができる装着部（装着手段）１８を備えている。装着部１８は、記録媒体Ｍのリーダライタであり、記録媒体Ｍが記憶しているデータを読み出し、又データを記録媒体Ｍへ書き込むことができる。
【００２６】
本発明の画像処理装置１は、モデム部１４１又は通信部１４２が受信した画像データを暗号化部１７１で暗号化し、画像データを暗号化した暗号化画像データを記憶部１９が記憶する処理を行う。また、画像処理装置１は、記憶部１９が記憶している暗号化画像データと装着部１８が受け付けた記録媒体Ｍとの対応を照合し、正当に照合された場合に記録媒体に画像データを記憶させる処理を行う。
【００２７】
図２は、記録媒体Ｍの内部の機能構成を示す模式図である。記録媒体Ｍは、使用者が携帯している可搬型の記録媒体である。記録媒体Ｍは、内部に自己を識別するためのメディアＩＤを記憶している。メディアＩＤとしては、個々の記録媒体Ｍを識別する情報、個々の使用者を識別する情報、又は記録媒体Ｍが記憶すべき画像データに対応した情報が記録媒体Ｍに記憶される。また、記録媒体Ｍは、暗号化画像データを復号するために必要な復号鍵を記憶している。
【００２８】
次に、本発明の画像処理装置１が行う動作をフローチャートを用いて説明する。図３は、本発明の画像処理装置１が画像データを受信する際に行う処理の手順を示すフローチャートである。画像記録装置１の制御部１１は、ＲＯＭ１５１が記憶している制御プログラムに従って以下の処理を行う。制御部１１は、モデム部１４１又は通信部１４２での画像データ及びその画像データを識別するデータＩＤの受信を監視している（Ｓ１１）。画像データ及びデータＩＤの受信がない場合は（Ｓ１１：ＮＯ）、制御部１１は受信の監視を続行する。画像データ及びデータＩＤをモデム部１４１又は通信部１４２が受信した場合は（Ｓ１１：ＹＥＳ）、制御部１１は、管理部１５２が記憶している管理情報を参照して、画像データを画像として直ちには記録せずに一旦記憶する設定となっているか否かを判定する（Ｓ１２）。画像データを記憶する設定ではない場合は（Ｓ１２：ＮＯ）、制御部１１は、受信した画像データから画像形成部１６に画像を形成させて画像を記録用紙に記録し（Ｓ１３）、処理を終了する。
【００２９】
ステップＳ１２にて、画像データを記憶する設定である場合は（Ｓ１２：ＹＥＳ）、制御部１１は、暗号化部１７１に画像データを暗号化させ（Ｓ１４）、画像データを暗号化した暗号化画像データをデータＩＤと関連づけて記憶部１９に記憶させ（Ｓ１５）、処理を終了する。なお、ステップＳ１２で管理部１５２が記憶している管理情報を参照するのではなく、ステップＳ１１で画像データと共に画像データの記憶指示を受信可能とし、画像データの記憶指示を受信した場合にステップ１４以降の暗号化と記憶との処理を行い、記憶指示を受信しない場合にはステップＳ１３の画像記録の処理を行う形態であってもよい。また、ステップＳ１１でデータＩＤを伴わない画像データを受信可能とし、データＩＤを受信した場合にステップ１４以降の暗号化と記憶との処理を行い、データＩＤを受信しない場合にはステップＳ１３の画像記録の処理を行う形態であってもよい。
【００３０】
図４及び図５は、本発明の画像処理装置１が記録媒体Ｍに画像データを記憶させる処理の手順を示すフローチャートである。画像記録装置１の制御部１１は、ＲＯＭ１５１が記憶している制御プログラムに従って以下の処理を行う。制御部１１は、使用者が記録媒体Ｍを装着部１８に装着させることによる装着部１８への記録媒体Ｍの装着を監視している（Ｓ２０１）。装着部１８への記録媒体Ｍの装着がない場合は（Ｓ２０１：ＮＯ）、制御部１１は、装着部１８への記録媒体Ｍの装着の監視を続行する。装着部１８に記録媒体Ｍが装着された場合は（Ｓ２０１：ＹＥＳ）、制御部１１は、装着部１８に装着された記録媒体Ｍが記憶しているメディアＩＤを記録媒体Ｍから読み出す（Ｓ２０２）。
【００３１】
制御部１１は、次に、記憶部１９が記憶している暗号化画像データの一覧を操作部１３の表示手段に表示し、表示された暗号化画像データの一覧の中から記録媒体Ｍに記憶させるべき暗号化画像データを使用者が操作部１３の入力手段を操作して指定することによる、記録媒体Ｍに記憶させるべき暗号化画像データの指定の操作部１３での受付を監視する（Ｓ２０３）。暗号化画像データの指定の受付がない場合は（Ｓ２０３：ＮＯ）、制御部１１は、暗号化画像データの指定の受付の監視を続行する。記録媒体Ｍに記憶させるべき暗号化画像データの指定を受け付けた場合は（Ｓ２０３：ＹＥＳ）、制御部１１は、指定された暗号化画像データに関連づけられて記憶部１９が記憶しているデータＩＤを読み出し、記録媒体Ｍから読み出したメディアＩＤとデータＩＤとを照合する（Ｓ２０４）。制御部１１は、次に、両ＩＤの照合結果がメディアＩＤとデータＩＤとが一致する結果であったか否かを判定する（Ｓ２０５）。メディアＩＤとデータＩＤとが一致する結果ではなかった場合は（Ｓ２０５：ＮＯ）、制御部１１は、ＩＤが一致しなかったことを示すエラー情報を操作部１３の表示手段に表示させ（Ｓ２０６）、処理を終了する。
【００３２】
ステップＳ２０５にて照合結果がメディアＩＤとデータＩＤとが一致する結果であった場合は（Ｓ２０５：ＹＥＳ）、制御部１１は、指定された暗号化画像データを記憶部１９から読み出す（Ｓ２０７）。制御部１１は、次に、記録媒体Ｍに記録させる際に暗号化画像データを復号すべきか否かの指示の入力を促す情報を操作部１３の表示手段に表示させて、暗号化画像データを復号すべきか否かの指示の操作部１３での受付を監視する（Ｓ２０８）。暗号化画像データを復号すべきか否かの指示の受付がない場合は（Ｓ２０８：ＮＯ）、制御部１１は、暗号化画像データを復号すべきか否かの指示の受付の監視を続行する。暗号化画像データを復号すべきか否かの指示を受け付けた場合は（Ｓ２０８：ＹＥＳ）、制御部１１は、受け付けた指示が復号の指示であったか否かを判定する（Ｓ２０９）。
【００３３】
ステップＳ２０９にて、受け付けた指示が復号の指示であった場合は（Ｓ２０９：ＹＥＳ）、制御部１１は、装着部１８に装着されている記録媒体Ｍが記憶している復号鍵を読み出し、読み出した復号鍵を用いて暗号化画像データを復号する（Ｓ２１０）。制御部１１は、次に、画像データのフォーマット形式の変換又はデータサイズの変換等、データ形式の変換の指示の入力を促す情報を操作部１３の表示手段に表示させて、データ変換の指示の操作部１３での受付を監視する（Ｓ２１１）。データ変換の指示を受け付けた場合は（Ｓ２１１：ＹＥＳ）、受け付けた指示に従って、暗号化画像データを復号した画像データのデータ形式の変換を行う（Ｓ２１２）。制御部１１は、次に、装着部１８にデータ形式を変換した画像データを記録媒体Ｍへ書き込ませる（Ｓ２１３）。ステップＳ２１１にてデータ変換の指示を受け付けない場合は（Ｓ２１１：ＮＯ）、制御部１１は、装着部１８に暗号化画像データを復号した画像データを記録媒体Ｍへ書き込ませる（Ｓ２１３）。ステップＳ２１３が終了した後は、制御部１１は、復号して記録媒体Ｍへ書き込んだ暗号化画像データを記憶部１９から消去し（Ｓ２１４）、処理を終了する。
【００３４】
ステップＳ２０９にて、復号の指示を受け付けていなかった場合は（Ｓ２０９：ＮＯ）制御部１１は、記憶部１９から読み出した暗号化画像データを装着部１８に記録媒体Ｍへ書き込ませる（Ｓ２１５）。制御部１１は、次に、記録媒体Ｍへ書き込んだ暗号化画像データを記憶部１９から消去し（Ｓ２１４）、処理を終了する。
【００３５】
なお、ステップＳ２０４及びＳ２０５にてメディアＩＤとデータＩＤとが一致するか否かを調べることによって記録媒体Ｍと画像データとの照合結果を判定する処理を行っているが、これに限るものではなく、メディアＩＤとデータＩＤとの間で所定の演算を行うことにより照合を行い、所定の結果が得られるか否かで照合結果の判定を行う等、その他の方法で記録媒体Ｍと画像データとを照合する処理を行う形態であってもよい。
【００３６】
以上詳述した如く、本発明の画像処理装置１は、外部から受信した画像データを暗号化した上で記憶しておき、データを記憶する記録媒体Ｍの装着を受け付け、記録媒体Ｍと画像データとの対応を照合し、照合結果が所定の結果である場合に画像データを記録媒体Ｍに記憶させる。画像処理装置１は、画像データを暗号化した上で記憶しているので、不正な手段によって画像データが画像処理装置１の外部へ取り出された場合でも、画像データの機密性を保護することができる。また、画像データとの照合結果が所定の結果であった可搬型の記録媒体Ｍに画像データを記録させることにより、正当な記録媒体Ｍを有する使用者のみが画像データを外部へ取り出すことができるので、画像データの機密性を保護しながら画像処理装置１が受信した画像データを電子データとして利用することが可能となる。
【００３７】
また、本発明においては、記録媒体Ｍは画像データを復号するための復号鍵を記憶しており、画像処理装置１は画像データを記録媒体Ｍに記憶させる際に暗号化画像データを復号して記憶させることにより、画像処理装置１から取り出した画像データを利用する際に復号する必要がなくなるので、画像処理装置１から取り出した画像データの利用が容易となる。また、記録媒体Ｍに画像データを記憶させる際に暗号化した状態で記憶させるか又は復号して記憶させるかを選択することができるので、機密性の高い画像データは暗号化した状態で取り出す等、機密性の保護と利便性とを状況に応じて調整することが可能となる。
【００３８】
更に、本発明においては、記録媒体Ｍに画像データを記憶させる際に画像データのフォーマット形式の変換又はデータサイズの変換等のデータ形式の変換を行うことができるので、画像データの利用目的に応じてデータを変換することにより、画像処理装置１から取り出した画像データの利便性が向上する。
【００３９】
なお、本実施の形態においては、記録媒体Ｍは復号鍵を記憶している形態を示したが、復号鍵を記憶していない形態であってもよい。この場合は、画像処理装置１は暗号化画像データの復号の指示を受け付けることがなく、常に暗号化画像データを記録媒体Ｍに記憶させることとなる。
【００４０】
また、本実施の形態においては、画像処理装置１は画像データと共にデータＩＤを受信し、データＩＤを用いて記録媒体Ｍとを照合する処理を行う形態を示したが、これに限るものではなく、画像データに含まれている情報とメディアＩＤとの照合を行う等、その他の方法を用いて画像データと記録媒体Ｍとを照合する処理を行う形態であってもよい。
【００４１】
また、本実施の形態においては、装着部１８は記録媒体Ｍに対するリーダライタであるとしたが、ディスクドライブ装置などのように記録媒体Ｍの挿入を受け付ける形態であってもよい。この場合は、画像処理装置１は、処理を終了する際に記録媒体Ｍを装着部１８から排出させる処理を行う形態であってもよい。
【００４２】
また、本実施の形態においては、記録媒体Ｍは半導体メモリカード又は光磁気ディスク等の可搬型の記録媒体であるとしたが、記録媒体Ｍは携帯電話又はＰＤＡ等のデータの記憶が可能な携帯装置であってもよい。この場合、装着部１８は、携帯装置が直接に装着される構成でもよく、またケーブルを介して携帯装置を接続してデータを送信するためのインタフェースであってもよい。この構成により、画像処理装置１から取り出した画像データを携帯装置で編集する又は壁紙として使用する等の利用方法が可能となる。
【００４３】
また、本実施の形態においては、本発明のデータ処理装置は画像処理装置１であって扱うデータは画像データである形態を示したが、これに限るものではなく、テキストデータ等の画像データ以外のデータについても同様の処理を行う形態であってもよい。
【図面の簡単な説明】
【００４４】
【図１】本発明のデータ処理装置である画像処理装置の内部の機能構成を示す機能ブロック図である。
【図２】記録媒体の内部の機能構成を示す模式図である。
【図３】本発明の画像処理装置が画像データを受信する際に行う処理の手順を示すフローチャートである。
【図４】本発明の画像処理装置が記録媒体に画像データを記憶させる処理の手順を示すフローチャートである。
【図５】本発明の画像処理装置が記録媒体に画像データを記憶させる処理の手順を示すフローチャートである。
【符号の説明】
【００４５】
１  画像処理装置（データ処理装置）
１１  制御部
１５１  ＲＯＭ
１７１  暗号化部（暗号化手段）
１７２  復号部（復号手段）
１８  装着部（装着手段）
１９  記憶部（記憶手段）
Ｍ  記録媒体
【図１】
2005217545.tif 000003
【図２】
2005217545.tif 000004
【図３】
2005217545.tif 000005
【図４】
2005217545.tif 000006
【図５】
2005217545.tif 000007